(57)【要約】      （修正有）【課題】周囲を汚すことなくガーデニング作業ができ、作業終了時には容易に使い捨てることができるようにする。 【解決手段】トレー用紙１の短辺側の周壁部３を内側に折り曲げる。続いて、トレー用紙１の長辺側の周壁部３の両端を、短辺側の周壁部３の裁断部端縁に沿って折り曲げ、この長辺側の周壁部両端と端辺側の周壁部両端の重なり部分を接着する。次に、前記重なり部分が直角三角形になり、この三角形の直角側の頂点から底辺に垂直な垂線で山折りし、周壁部３を略垂直に立て、周壁１３および底１２を形成する。続いて、４つの補強紙５を、それぞれ長辺方向の折り部で折り曲げ、その後、短辺方向の折り部で折り曲げ、補強部品１５を形成する。そして、この補強部品１５を周壁１３の四隅１３ａに挿着する。これにより、ガーデニング用トレー１００が完成する。【選択図】図８
0003118473.tif 000002
【実用新案登録請求の範囲】
【請求項１】
トレー用紙の一部または全部が耐水性紙からなると共に、当該トレー用紙が、作業領域となる底部と、当該底部の周囲に設けた周壁部とを有し、前記底部の周囲に設けた折り部と、周壁部の隅に設けた裁断部とを有することを特徴とするガ―デニング用トレー。
【請求項２】
トレー用紙の一部または全部が耐水性紙からなると共に、当該トレー用紙が、作業領域となる底部と、当該底部の周囲に設けた周壁部とを有し、底部の周囲及び周壁部の隅に設けた折り部を有することを特徴とするガーデニング用トレー。
【請求項３】
前記周壁部の隅を補強する補強紙又は補強部品を備えたことを特徴とする請求項１または２に記載のガーデニング用トレー。
【請求項４】
前記補強紙は、方形であり且つ一辺及び他辺にそれぞれ平行な折り部を有することを特徴とする請求項３に記載のガーデニング用トレー。
【請求項５】
方形のトレー用紙の一部または全部が耐水性紙からなると共に、当該トレー用紙が、作業領域となる底部とその周囲に設けた周壁部とからなり、方形の底部の周囲に折り部が設けられ、当該底部の角からトレー用紙の角に向かって、裁断部が設けられ、更に、前記周壁部の隅を補強する補強紙を備え、この補強紙には、長辺に平行な折り部と、短辺に平行な折り部が設けられていることを特徴とするガーデニング用トレー。
【請求項６】
方形のトレー用紙の一部または全部が耐水性紙からなると共に、当該トレー用紙が、作業領域となる底部とその周囲に設けた周壁部とからなり、方形のトレー用紙の一辺及び他辺に平行な谷折り線と、前記谷折り線の交点から長方形の角に至る、周壁部の四隅に設けた谷折り線と、前記交点から前記一辺又は他辺に垂直に設けた山折り線とが設けられ、更に、前記周壁部の隅を補強する補強紙を備え、この補強紙には、長辺に平行な折り部と、短辺に平行な折り部が設けられていることを特徴とするガーデニング用トレー。
【請求項７】
耐水性紙で構成され、且つ、作業領域となる底部及び当該底部の周囲に設けた周壁とを備え、周壁が折り畳み得ることを特徴とするガーデニング用トレー。
【請求項８】
前記周壁の隅を補強する、当該隅の形状に沿って形成した補強部品を備えたことを特徴とする請求項７に記載のガーデニング用トレー。
【請求項９】
前記トレー用紙または耐水性紙が、リサイクル性の材料からなることを特徴とする請求項１〜８のいずれか一つに記載のガーデニング用トレー。
【請求項１０】
前記トレー用紙または耐水性紙が、生分解性の材料からなることを特徴とする請求項１〜９のいずれか一つに記載のガーデニング用トレー。
【請求項１１】
前記トレー用紙または耐水性紙が、耐油性又は撥水性を有する材料からなることを特徴とする請求項１〜１０のいずれか一つに記載のガーデニング用トレー。
【考案の詳細な説明】
【技術分野】
【０００１】
本考案は、主として観葉植物等の鉢物の植え替えなどの際に、一枚ずつ取り出し広げ
て使用し、作業終了時に簡単に折り畳んで使い捨てる事が出来るガーデニング用トレー
に関するものである。
【背景技術】
【０００２】
現在、ガーデニングが大変な人気であり、我が国の住宅事情を反映してか、一般住宅のみならず、集合住宅のバルコニーや室内で作業を行う機会が多くなっている。そして、このようなガーデニングの作業時、培養土や水などがこぼれて周囲を汚さないようにするため、従来は新聞紙等の紙類や有り合わせのビニール等を敷き、その上で作業をしている。
【０００３】
しかしながら、紙類やビニール類は植え替え専用の物ではないので、これによる作業は厄介であり、その上、紙類は水分を含むと破れ易く、ビニール類は水分を含んでも破れる事はないが、縁が立っていないので培養土等が飛散して周囲を汚す結果となり、室内においては非常に不潔であり、バルコニーにおいても敷物をしているにも拘らず、清掃作業が必要となる。    
【０００４】
培養土や水などを飛散させない為に、上部を開口した角筒状の周壁のあるトレーを使用すると有利に作業できるのものとして従来のガーデニング用トレーには、内部を防水性とし柔軟シートで形成され折り畳み自在で保管しておく事が出来るものがある（例えば、特許文献１参照。）。また、使い捨てトレーとしては、紙またはアルミニウム箔で形成され、使用時に１枚ずつ取り出して、上部を開口した角筒状の周壁のあるトレー状に組み立てるものがある（例えば、特許文献２参照。）。
【特許文献１】特開平１１−２２５５８１号公報（第４頁、図１）
【特許文献２】実用新案登録第３０８００７４号公報（第２頁、図１）
【考案の開示】
【考案が解決しようとする課題】
【０００５】
従来のガーデニング用トレーは、植え替え作業終了後に、内部に付いた土あるいは水分を含んだ土や、植え替えに際して出た葉や茎を取り除いて保管する作業が必要であり、後始末が面倒である。
【０００６】
また、使い捨てトレーパックは、作業終了時に中身と共に使い捨てる事ができるため
後始末は容易であるが、主としてキッチン周りやテーブル周辺で使用する事に特化している。
【０００７】
そこで、本考案は、ガーデニング作業の際に周囲を汚すことなく、作業終了時には容易に使い捨てることができるガーデニング用トレーを提供することを目的とする。                      
【課題を解決するための手段】
【０００８】
上記の目的を達成する為、本考案のガーデニング用トレーは、トレー用紙の一部または全部が耐水性紙からなると共に、当該トレー用紙が、作業領域となる底部と、当該底部の周囲に設けた周壁部とを有し、前記底部の周囲に設けた折り部と、周壁部の隅に設けた裁断部とを有することを特徴とする。
【０００９】
また、本考案のガーデニング用トレーは、トレー用紙の一部または全部が耐水性紙からなると共に、当該トレー用紙が、作業領域となる底部と、当該底部の周囲に設けた周壁部とを有し、底部の周囲及び周壁部の隅に設けた折り部とを有することを特徴とする。
【００１０】
また、本考案のガーデニング用トレーは、上記ガーデニング用トレーにおいて、更に、前記周壁部の隅を補強する補強紙又は補強部品を備えたことを特徴とする。
【００１１】
また、本考案のガーデニング用トレーは、上記ガーデニング用トレーにおいて、前記補強紙は、方形であり且つ一辺及び他辺にそれぞれ平行な折り部を有することを特徴とする。
【００１２】
また、本考案のガーデニング用トレーは、上記ガーデニング用トレーにおいて、方形のトレー用紙の一部または全部が耐水性紙からなると共に、当該トレー用紙が、作業領域となる底部とその周囲に設けた周壁部とからなり、方形の底部の周囲に折り部が設けられ、当該底部の角からトレー用紙の角に向かって、裁断部が設けられ、更に、前記周壁部の隅を補強する補強紙を備え、この補強紙には、長辺に平行な折り部と、短辺に平行な折り部が設けられていることを特徴とする。
【００１３】
また、本考案のガーデニング用トレーは、方形のトレー用紙の一部または全部が耐水性紙からなると共に、当該トレー用紙が、作業領域となる底部とその周囲に設けた周壁部とからなり、方形のトレー用紙の一辺及び他辺に平行な谷折り線と、前記谷折り線の交点から長方形の角に至る、周壁部の四隅に設けた谷折り線と、前記交点から前記一辺又は他辺に垂直に設けた山折り線とが設けられ、更に、前記周壁部の隅を補強する補強紙を備え、この補強紙には、長辺に平行な折り部と、短辺に平行な折り部が設けられていることを特徴とする。
【００１４】
また、本考案のガーデニング用トレーは、耐水性紙で構成され、且つ、作業領域となる底部及び当該底部の周囲に設けた周壁とを備え、周壁が折り畳み得ることを特徴とする。
【００１５】
また、本考案のガーデニング用トレーは、上記ガーデニング用トレーにおいて、更に、前記周壁の隅を補強する、当該隅の形状に沿って形成した補強部品を備えたことを特徴とする。
【００１６】
また、本考案のガーデニング用トレーは、上記ガーデニング用トレーにおいて、前記トレー用紙または耐水性紙が、リサイクル性の材料からなることを特徴とする。
【００１７】
また、本考案のガーデニング用トレーは、上記ガーデニング用トレーにおいて、前記トレー用紙または耐水性紙が、生分解性の材料からなることを特徴とする。
【００１８】
また、本考案のガーデニング用トレーは、上記ガーデニング用トレーにおいて、前記トレー用紙または耐水性紙が、耐油性又は撥水性を有する材料からなることを特徴とする。
【考案の効果】
【００１９】
この考案のガーデニング用トレーによれば、ガーデニング作業の際に周囲を汚すことなく、作業終了時には容易に使い捨てることができる。  
【考案を実施するための最良の形態】
【００２０】
以下、この考案につき図面を参照しつつ詳細に説明する。なお、この実施の形態によりこの考案が限定されるものではない。また、以下に示す実施の形態の構成要素には、当業者が置換可能かつ容易なもの、或いは実質的同一のものが含まれる。
【実施例１】
【００２１】
[ガーデニング用トレーの構成]
図１は、この考案の実施例１に係るガーデニング用トレーを示す斜視図である。図２は、図１に示したガーデニング用トレーの組立前の平面図である。図３は、ガーデニング用トレーの部品となる補強紙の平面図である。トレー用紙１は、耐水性を有する紙からなる。例えば、コッブ法（ＪＩＳ Ｐ８１４０）の吸水度が小さい耐水段ボールなどが好ましい。なお、耐水性のトレー用紙は、それ自体が耐水性紙であるほか、耐水性紙を厚紙に積層したもの、厚紙に耐水性コーティングを施したものを含む。また、トレー用紙１は、より好ましくは、耐水性、耐油性及び／又は撥水性を有する紙からなる。また、トレー用紙１自体に耐水性（好ましくは、耐油性及び／又は撥水性）がなくとも、トレー用紙１の作業面側に耐水性のある紙が積層されていれば良い。例えば、トレー用紙１の基材に通常の厚紙を用い、その表面に耐水紙を貼り付けた構造であっても良い。
【００２２】
また、トレー用紙１の基材に通常の厚紙を用い、その表面に耐水コーティングを施した構造であっても良い。耐水性コーティングとしては、水溶性樹脂の塗布が好ましく、当該水溶性樹脂としては、例えば、カゼイン、アルブミン、ゼラチンその他の天然高分子化合物や、メチルセルロース、カルボキシメチルセルロース、ヒトドキシエチルセルロースその他の水溶性セルロース類や、ポリエチレングリコール、ポリプロピレングリコールその他のポリエーテル類や、アクリル酸系ポリマー、アクリル−スチレン共重合体その他の水溶性アクリル系樹脂や、水溶性ポリブチラール、ポリビニルアルコールその他の水溶性合成高分子化合物等である。この水溶性樹脂は、水に溶解するので、リサイクルしやすい。塗布方法は、バーコーティング、ロールコーティング、グラビアコーティング、エアーナイフコーテイング、ブレードコーティング等のコーティング方法を用いて行う。
【００２３】
また、使い捨てることを目的とするため、無公害又は低公害の紙を用いるのが好ましい。無公害紙としては、例えば土壌、堆肥中にいる好気性微生物や分解酵素により、短期間で完全に生分解するような土壌還元可能な生分解性プラスチックを用いても良い（本出願では「トレー用紙」の用語には生分解性プラスチックが含まれるものと定義する）。生分解性プラスチック樹脂には、例えば、バイオポリエステル、バクテリアセルロース、微生物多糖（プルラン、カードランなど）などの微生物系のもの、脂肪族ポリエステル（ポリカプロラクトン、ポリブチレンサクシネート、ポリエチレンサクシネート、ポリグリコール酸、ポリ乳酸など）、ポリビニルアルコール、ポリアミノ酸類などの化学合成系のもの、キトサン／セルロース、澱粉、酢酸セルロースなどがあり、複合物としては、澱粉／脂肪族ポリエステル、澱粉／ポリビニルアルコールなどの天然物系のものなどを挙げることができる。
【００２４】
また、新聞紙などの再生紙を成形したパルプモールド紙をトレー用紙１の基材に用い、上記耐水コーティングしても良い。再生紙なら土中で分解できるし、コーティング層を除去して紙を再利用できるので、リサイクル性も高い。また、トレー用紙１は、83.3ｇ/ｍ２程度の厚さのものを用いるのが好ましい。補強紙５は、長方形をしており且つ前記トレーの四隅を補強するのに適した厚さを有する。例えば、補強紙５は、310ｇ/ｍ２程度の厚紙からなる。
【００２５】
トレー用紙１は、例えば長辺１００ｃｍ、短辺８０ｃｍの長方形である。なお、三角形、正方形、五角形、六角形、円形又は楕円形であっても良い。図２に示すように、トレー用紙１は、作業領域となる底部２とその周囲に設けた周壁部３とからなり、長方形の底部２の周囲に、折り線が印刷され又は折り曲げ加工が施されている（以下、折り部５０という）。当該底部２の角２ａ（底部周縁）からトレー用紙１の角１ａ（トレー用紙１の周縁）に向かって、換言すれば周壁部３の隅に、裁断線が印刷され又はミシン目等の裁断加工がされている（以下、裁断部５１という）。裁断線が設けられている場合、その裁断線に沿ってユーザが切断する。周壁１３は、周囲に土等がこぼれない程度の高さを確保する必要があり、そのため周壁部３の幅は１０ｃｍ程度とするのがよい。
【００２６】
また、補強紙５には、長辺に平行な折り部５２と、短辺に平行な折り部５３が設けられている。補強紙５の長辺方向に平行な折り線で当該補強紙５を折り曲げた場合、その幅が前記周壁部３の幅と略同じになるようにする。
【００２７】
[ガーデニング用トレーの組立]
図４〜図８は、このガーデニング用トレーの組立工程を示す説明図である。まず、周壁部３の裁断線（５１）に沿ってユーザが裁断する（すでに裁断している場合は不要である）。次に、図４に示すように、トレー用紙１の短辺側の周壁部３を内側に折り曲げる。続いて、トレー用紙１の長辺側の周壁部３の両端（図中、ハッチング部分３ａ）を、図５に示すように、短辺側の周壁部３の裁断部５１端縁に沿って折り曲げ、この長辺側の周壁部両端と短辺側の周壁部両端の重なり部分３ｂを接着する。これにより、ガーデニング用トレー１００は、補強部品１５なしの折り畳まれた平板状となる。
【００２８】
次に、前記重なり部分３ｂが直角三角形になり、この三角形の直角側の頂点３ｃから底辺に垂直な垂線３ｄで山折りし、図６に示すように、周壁部３を略垂直に立て、周壁１３および底１２を形成する。この状態では、トレー用紙１が比較的薄い場合、周壁１３の自立が保持され難い。続いて、図７に示すように、４つの補強紙５を、それぞれ長辺方向の折り部５２で折り曲げ、その後、短辺方向の折り部５３で折り曲げ、補強部品１５を形成する。そして、この補強部品１５を周壁１３の四隅１３ａに挿着する。具体的には、補強部品１５の折り曲げた内側に接着剤を塗布し、補強部品１５によって周壁１３を挟むように貼り付ける。これにより、周壁１３が補強部品１５の補強によって自立し、ガーデニング用トレー１００が完成する。
【００２９】
なお、図４に示したような、短辺方向の周壁部を先に折り曲げるのではなく、長辺方向の周壁部を先に折り曲げ、その後、短辺方向の周壁部両端を折り曲げ、重複部分を接着するようにしても良い（図示省略）。また、前記トレー用紙の強度が高ければ、補強部品を用いなくても周壁が自立状態を保つので、当該補強部材は不要である。また、上記ガーデニング用トレーでは、周壁部の重複部分を接着したが、ステープラで結合しても良い。
【００３０】
補強部品１５は、周壁１３の隅形状に沿った形状である。また、周壁１３の四隅１３ａに補強部品１５を挿入する際、接着せず、着脱可能にしても良い。そのとき、補強部品１５の周壁内側の高さ（補強紙５の長辺方向に平行な折り線５２と当該補強紙５の端縁との幅に相当）は、周壁１３の高さ（前記周壁部３の幅に相当）と略同じになっているので、周壁１３の四隅１３ａをそれぞれ完全に補強できる。また、補強部品１５の周壁外側の高さは、周壁１３の高さより低くても良い。図７の例では、周壁外側の高さは、周壁内側の高さの約半分となっている。この補強部品１５を構成する補強紙５に、厚めで強いものを選ぶことで、これを周壁１３の四隅１３ａに挿入したとき、周壁全体を整形させやすくなる。そして、補強部品１５を取り外せば、トレー用紙１を折り畳むことができ、次のガーデニング作業時に再び組み立てて使用できる。
【００３１】
次に、このガーデニング用トレー１００は、組立状態、半組立状態、未組立状態、で販売することができる。組立状態は、図８に示した状態の完成品のガーデニング用トレー１００として販売する状態である。半組立状態は、図６に示したトレー用紙１をその周壁１３を畳んで略平面状にしたものと、図３に示した未折り状態の補強紙５とをセットにして販売する状態である。この状態では、ユーザが補強紙５を折り曲げて補強部品１５とし、トレー用紙１の周壁１３を立てて、その四隅１３ａに前記補強部品１５を取り付けて使用する。
【００３２】
未組立状態は、図２に示したトレー用紙１と、図３に示した補強紙５とをセットにして販売する状態である。この状態では、上記図４〜８を用いて説明した通りにユーザが自分で組み立てる。半組立状態、未組立状態で販売する場合、トレー用紙１及び補強紙５が平面的であるから、パッケージしやすいし、積み重ねやすい等の取り扱い上の利便性が高い。
【００３３】
[ガーデニング用トレーの使用方法]
図８に戻り、この完成したガーデニング用トレー１００を使用するときは、周壁１３を自立させ、底１２に作業対象である鉢物を置いて植え替え等の作業を行う。これにより、周囲を汚すことなく作業できる。例えば、培養土等を外部にこぼすことなく作業できる。また、ガーデニング用トレー１００は、耐水性の紙で構成されているので、湿気のある培養土等を使用したり、植え替えに際して水を使用してもなんら支障を生じない。その上、無公害紙を用いれば、作業終了時に植え替えの際に生じる不要な葉や茎等のゴミをトレーにそのまま包んで捨てることができる。生分解性の素材を用いれば、庭先等に穴を掘って捨てることもできる。
【００３４】
[変形例]
上記補強部品１５を、略同じ形状で、生分解性プラスチックなどの成形部品としても良い。その際、補強部品１５を４つと、複数枚のトレー用紙１のセットで販売し、トレー用紙１のみを作業の都度使い捨て、補強部品１５は最後に捨てるようにする。また、補強部品１５をプラスチックなどの樹脂製にし、クリップのように、周壁１３の外側部分と内側部分との間に周壁を挟んで保持する保持力を持たせれば、周壁１３の四隅１３ａを接着する必要はない。また、作業領域である底１２のみを耐水性紙で構成しても良い。例えば、塗布工程で、底部２のみに耐水性コーティングを施す。
【００３５】
また、底１２にガーデニングの各種方法（植物ごとの植え替え時期、培養土の使い方、水やりの頻度など）を印刷しておく、情報掲載部を設けても良い。また、紙製であることを利用して、様々な広告媒体を掲載する広告掲載部を設けても良い。
【実施例２】
【００３６】
図９は、この考案の実施例２に係るガーデニング用トレーのトレー用紙の平面図である。図１０は、トレー用紙の組立方法を示す説明図である。図９に示すように、このトレー用紙２０１は、実施例１のトレー用紙１と同じ材質で構成されるが、裁断部５１を持たない。図９中、実線が谷折り線２５０、点線が山折り線２５１を示す。このトレー用紙２０１を組み立てるには、まず、図１０に示すように、長方形のトレー用紙２０１の長辺及び短辺に平行な谷折り線２５０に沿って谷折りする。これにより、底部２０２の周囲に設けた周壁部２０３が立って、トレー形状がある程度形成される。
【００３７】
次に、四隅２０３ａは、前記谷折り線２５０の交点２５２から長方形の角２５３に至る谷折り線２５０を谷折りし、続いて、当該交点２５２から長辺に垂直に設けた山折り線２５１（この部分はいったん谷折りされたあと、反対に山折りになる）に沿って山折りする。そうすると、長辺側の周壁部２０３の両端部に折り重ね部分２５４が生じる。この状態で折り重ね部分２５４は、必要があれば、相互に接着したり或いはステープラで固定したりしても良い。続いて、補強部品２１５は、実施例１と同じ構成であり、この補強部品２１５を周壁２１３の四隅２１３ａに挿入し、前記折り重ね部分２５４を挟み込むようにする。これにより、折り重ね部分２５４が接着されていなくても、この補強部材２１５をもって固定され、全体としてガーデニング用トレー２００が完成する。
【００３８】
この実施例２に係るガーデニング用トレー２００は、実施例１と同じ効果を奏すると共に、裁断部５１が不要で折り紙のように扱うことができるので、ユーザが容易に組み立てることができる。なお、補強部品２１５は、実施例１同様に、生分解性プラスチックなどを用いて構成することもできる。
【図面の簡単な説明】
【００３９】
【図１】この考案の実施例１に係るガーデニング用トレーを示す斜視図である。
【図２】図１に示したガーデニング用トレーの組立前の平面図である。
【図３】ガーデニング用トレーの部品となる補強紙の平面図である。
【図４】このガーデニング用トレーの組立工程を示す説明図である。
【図５】このガーデニング用トレーの組立工程を示す説明図である。
【図６】このガーデニング用トレーの組立工程を示す説明図である。
【図７】このガーデニング用トレーの組立工程を示す説明図である。
【図８】このガーデニング用トレーの組立工程を示す説明図である。
【図９】この考案の実施例２に係るガーデニング用トレーのトレー用紙の平面図である。
【図１０】トレー用紙の組立方法を示す説明図である。
【符号の説明】
【００４０】
１００  ガーデニング用トレー
１  トレー用紙
２  底部
３  周壁部
５  補強紙
１２  底
１３  周壁
１５  補強部品
【図１】
0003118473.tif 000003
【図２】
0003118473.tif 000004
【図３】
0003118473.tif 000005
【図４】
0003118473.tif 000006
【図５】
0003118473.tif 000007
【図６】
0003118473.tif 000008
【図７】
0003118473.tif 000009
【図８】
0003118473.tif 000010
【図９】
0003118473.tif 000011
【図１０】
0003118473.tif 000012